(57)【要約】  セルラー無線通信ネットワーク（ＲＣＮ）の無線デバイス（ＢＳ；ＵＥ）において動作するためのＯＦＤＭ変調器（１０００）であって、第１および第２の出口サンプルストリーム（ｅ０、．．．、ｅＢ−１、ｆ０、．．．、ｆＢ−１）に応じて、結合されたサンプルストリーム（ｇ０、．．．、ｇＢ−１）を決定して、結合されたサンプルストリーム（ｇ０、．．．、ｇＢ−１）を、それぞれのサブキャリア周波数よりも高いキャリア周波数にアップコンバートするように構成された、ＯＦＤＭ変調器（１０００）が提案される。
2020502921.tif 000002
【特許請求の範囲】
【請求項１】
セルラー無線通信ネットワーク（ＲＣＮ）の無線デバイス（ＢＳ；ＵＥ）において動作するためのＯＦＤＭ変調器（１０００）であって、ＯＦＤＭ変調器（１０００）が、プロセッサ（Ｐ１；Ｐ２）およびメモリ（Ｍ１；Ｍ２）を備え、プロセッサ（Ｐ１；Ｐ２）およびメモリ（Ｍ１；Ｍ２）が、
−  第１および第２の入口変調シンボルストリーム（ｂ０、．．．、ｂＭ−１、ｃ０、．．．、ｃＰ−１）を受信し、
−  それぞれ、第１および第２の入口変調シンボルストリーム（ｂ０、．．．、ｂＭ−１、ｃ０、．．．、ｃＰ−１）に応じて、同じブロック長（Ｂ）の第１および第２の逆高速フーリエ変換（ＩＦＦＴＢ１、ＩＦＦＴＢ２）を決定し、
−  それぞれ、第１および第２の逆高速フーリエ変換（ＩＦＦＴＢ１、ＩＦＦＴＢ２）に応じて、サブキャリア周波数（ＤＣ）に対する異なる周波数オフセット（Δｆ２、Δｆ３）の第１および第２の周波数シフトされたサンプル（Ｓｂ２；Ｓｂ３）を決定し、
−  それぞれ、第１および第２の周波数シフトされたサンプル（Ｓｂ２；Ｓｂ３）に応じて、第１および第２の出口サンプルストリーム（ｅ０、．．．、ｅＢ−１、ｆ０、．．．、ｆＢ−１）を決定し、
−  第１および第２の出口サンプルストリーム（ｅ０、．．．、ｅＢ−１、ｆ０、．．．、ｆＢ−１）に応じて、結合されたサンプルストリーム（ｇ０、．．．、ｇＢ−１）を決定して、結合されたサンプルストリーム（ｇ０、．．．、ｇＢ−１）を、それぞれのサブキャリア周波数よりも高いキャリア周波数にアップコンバートする
ように構成された、ＯＦＤＭ変調器（１０００）。
【請求項２】
−  １よりも大きい整数係数（Ｋ）を乗算された、第１および第２の逆高速フーリエ変換（ＩＦＦＴＢ）の同じブロック長（Ｂ）が、メインブロック長（Ａ）に等しい、
請求項１に記載のＯＦＤＭ変調器（１０００）。
【請求項３】
−  メインブロック長（Ａ）が２０４８に等しい、
請求項２に記載のＯＦＤＭ変調器（１０００）。
【請求項４】
プロセッサ（Ｐ１；Ｐ２）およびメモリ（Ｍ１；Ｍ２）が、
−  第１の逆高速フーリエ変換（ＩＦＦＴＢ１）のための第１の周波数オフセット（Δｆ２）を決定し、第１の逆高速フーリエ変換（ＩＦＦＴＢ１）が、サブキャリア範囲（ＳＲ）における第１のサブキャリアサブセットを占有し、
−  第２の逆高速フーリエ変換（ＩＦＦＴＢ２）のための第２の周波数オフセット（Δｆ３）を決定し、第２の逆高速フーリエ変換（ＩＦＦＴＢ２）が、サブキャリア範囲（ＳＲ）における第２のサブキャリアサブセットを占有する
ように構成された、請求項１から３のいずれか一項に記載のＯＦＤＭ変調器（１０００）。
【請求項５】
プロセッサ（）およびメモリ（）が、
−  第３の入口変調シンボルストリーム（ａ０、．．．、ａＮ−１）を受信し、
−  第３の入口変調シンボルストリーム（ａ０、．．．、ａＮ−１）に応じて、さらなるブロック長（Ａ）の第３の逆高速フーリエ変換（ＩＦＦＴＡ）を決定し、
−  第３の逆高速フーリエ変換（ＩＤＦＴＡ）に応じて、サブキャリア周波数（ＤＣ）に対する第３の周波数オフセット（Δｆ１）の第３の周波数シフトされたサンプル（Ｓａ）を決定し、
−  第３の周波数シフトされたサンプル（Ｓａ）に応じて、第３の出口サンプルストリーム（ｃ０、．．．、ｃＡ−１）を決定し、
−  第１、第２および第３の出口サンプルストリーム（ｃ０、．．．、ｃＡ−１、ｄ０、．．．、ｄＡ−１  ｅ０、．．．、ｅＢ−１、ｆ０、．．．、ｆＢ−１）に応じて、結合されたサンプルストリーム（ｇ０、．．．、ｇＡ−１）を決定して、結合されたサンプルストリーム（ｇ０、．．．、ｇＡ−１）を、それぞれのサブキャリア周波数よりも高いキャリア周波数にアップコンバートする
ように構成された、請求項１から４のいずれか一項に記載のＯＦＤＭ変調器（）。
【請求項６】
セルラー無線通信ネットワーク（ＲＣＮ）のデバイス（ＢＳ；ＵＥ）において動作するためのＯＦＤＭ復調器（２０００）であって、ＯＦＤＭ復調器（２０００）が、プロセッサ（Ｐ１；Ｐ２）およびメモリ（Ｍ１；Ｍ２）を備え、プロセッサ（Ｐ１；Ｐ２）およびメモリ（Ｍ１；Ｍ２）が、
−  ダウンコンバートされたサンプルストリーム（ｈ０、．．．、ｈＢ−１、．．．）を受信し、
−  それぞれ、同じブロック長（Ｂ）の、およびサブキャリア周波数（ＤＣ）に対する異なる周波数オフセット（−Δｆ２、−Δｆ３）の、ダウンコンバートされたサンプルストリーム（ｈ０、．．．、ｈＢ−１、．．．）の第１および第２の入口サンプルストリーム（ｋ０、．．．、ｋＢ−１、ｌ０、．．．、ｌＢ−１）を決定し、
−  それぞれ、第１および第２の入口サンプルストリーム（ｋ０、．．．、ｋＢ−１、ｌ０、．．．、ｌＢ−１）に応じて、同じブロック長（Ｂ）の第１および第２の順方向高速フーリエ変換（ＦＦＴＢ１、ＦＦＴＢ２）を決定し、
−  それぞれ、第１および第２の順方向高速フーリエ変換（ＦＦＴＢ１、ＦＦＴＢ２）に応じて、第１および第２の出口復調シンボルストリーム（ｎ０、．．．、ｎＭ−１、ｏ０、．．．、ｏＰ−１）を決定する
ように構成された、ＯＦＤＭ復調器（２０００）。
【請求項７】
−  １よりも大きい整数係数（Ｋ）を乗算された、第１および第２の順方向高速フーリエ変換（ＤＦＴＢ）の同じブロック長（Ｂ）が、メインブロック長（Ａ）に等しい、
請求項６に記載のＯＦＤＭ復調器（２０００）。
【請求項８】
−  メインブロック長（Ａ）が２０４８に等しい、
請求項７に記載のＯＦＤＭ復調器（）。
【請求項９】
−  第１の入口サンプルストリーム（ｋ０、．．．、ｋＢ−１）が、サブキャリア範囲（ＳＲ）における第１のサブキャリアサブセットを占有する第１の逆高速フーリエ変換（ＩＦＦＴＢ１）を備え、
−  第２の入口サンプルストリーム（ｌ０、．．．、ｌＢ−１）が、サブキャリア範囲（ＳＲ）における第２のサブキャリアサブセットを占有する第２の逆高速フーリエ変換（ＩＦＦＴＢ２）を備える、
請求項６から８のいずれか一項に記載のＯＦＤＭ復調器（２０００）。
【請求項１０】
プロセッサ（Ｐ１；Ｐ２）およびメモリ（Ｍ１；Ｍ２）が、
−  さらなるブロック長（Ａ）の、および第３の周波数オフセット（Δｆ１）の、ダウンコンバートされたサンプルストリーム（ｈ０、．．．、ｈＡ−１）の第３の入口サンプルストリーム（ｉ０、．．．、ｉＡ−１）を決定し、
−  第３の入口サンプルストリーム（ｉ０、．．．、ｉＡ−１）に応じて、さらなるブロック長（Ａ）の第３の順方向高速フーリエ変換（ＤＦＴＡ）を決定し、
−  第３の順方向高速フーリエ変換（ＤＦＴＡ）に応じて、第３の出口復調シンボルストリーム（ｍ０、．．．、ｎＭ−１）を決定する
ようにさらに構成された、請求項６から９のいずれか一項に記載のＯＦＤＭ復調器（２０００）。
【請求項１１】
セルラー無線通信ネットワーク（ＲＣＮ）において動作するための無線デバイス（ＢＳ；ＵＥ）であって、無線デバイス（ＢＳ；ＵＥ）が、
−  請求項１から５のいずれか一項に記載のＯＦＤＭ変調器（１０００）
を備え、無線デバイス（ＢＳ；ＵＥ）が、
−  結合されたサンプルストリーム（ｇ０、．．．、ｇＡ−１）を、それぞれのサブキャリア周波数よりも高いキャリア周波数にアップコンバートし、
−  第１の無線チャネル（ｃｈ１；ｃｈ２）上で、結合されたサンプルストリーム（ｇ０、．．．、ｇＡ−１）を送信する
ように構成された、無線モジュール（Ｒ１；Ｒ２）およびアンテナ（Ａ１；Ａ２）を備え、ならびに／または、無線デバイス（ＢＳ；ＵＥ）が、請求項６から１０のいずれか一項に記載のＯＦＤＭ復調器（２０００）を備え、無線デバイス（ＢＳ；ＵＥ）が、
−  第２のチャネル（ｃｈ２；ｃｈ１）から無線信号を受信し、
−  無線信号を入口サンプルストリーム（ｈ０、．．．、ｈＡ−１、．．．）にダウンコンバートする
ように構成された、無線モジュール（Ｒ１；Ｒ２）およびアンテナ（Ａ１；Ａ２）を備える、
無線デバイス（ＢＳ；ＵＥ）。
【請求項１２】
セルラー無線通信ネットワーク（ＲＣＮ）の無線デバイス（ＢＳ；ＵＥ）において動作するためのＯＦＤＭ変調器（１０００）を動作させる方法であって、方法が、
−  第１および第２の入口変調シンボルストリーム（ｂ０、．．．、ｂＭ−１、ｃ０、．．．、ｃＰ−１）を受信するステップと、
−  それぞれ、第１および第２の入口変調シンボルストリーム（ｂ０、．．．、ｂＭ−１、ｃ０、．．．、ｃＰ−１）に応じて、同じブロック長（Ｂ）の第１および第２の逆高速フーリエ変換（ＩＦＦＴＢ１、ＩＦＦＴＢ２）を決定するステップと、
−  それぞれ、第１および第２の逆高速フーリエ変換（ＩＦＦＴＢ１、ＩＦＦＴＢ２）に応じて、サブキャリア周波数（ＤＣ）に対する異なる周波数オフセットの第１および第２の周波数シフトされたサンプル（Ｓｂ２；Ｓｂ３）を決定するステップと、
−  それぞれ、第１および第２の周波数シフトされたサンプル（Ｓｂ２；Ｓｂ３）に応じて、第１および第２の出口サンプルストリーム（ｅ０、．．．、ｅＢ−１、ｆ０、．．．、ｆＢ−１）を決定するステップと、
−  第１および第２の出口サンプルストリーム（ｅ０、．．．、ｅＢ−１、ｆ０、．．．、ｆＢ−１）に応じて、結合されたサンプルストリーム（ｇ０、．．．、ｇＢ−１）を決定して、結合されたサンプルストリーム（ｇ０、．．．、ｇＢ−１）を、それぞれのサブキャリア周波数よりも高いキャリア周波数にアップコンバートするステップと
を含む、方法。
【請求項１３】
セルラー無線通信ネットワーク（ＲＣＮ）のデバイス（ＢＳ；ＵＥ）において動作するためのＯＦＤＭ復調器（２０００）を動作させる方法であって、方法が、
−  ダウンコンバートされたサンプルストリーム（ｈ０、．．．、ｈＢ−１、．．．）を受信するステップと、
−  それぞれ、同じブロック長（Ｂ）の、およびサブキャリア周波数（ＤＣ）に対する異なる周波数オフセット（−Δｆ２、−Δｆ３）の、ダウンコンバートされた復調シンボルストリーム（ｈ０、．．．、ｈＢ−１、．．．）の第１および第２の入口サンプルストリーム（ｋ０、．．．、ｋＢ−１、ｌ０、．．．、ｌＢ−１）を決定するステップと、
−  それぞれ、第１および第２の入口サンプルストリーム（ｋ０、．．．、ｋＢ−１、ｌ０、．．．、ｌＢ−１）に応じて、同じブロック長（Ｂ）の第１および第２の順方向高速フーリエ変換（ＦＦＴＢ１、ＦＦＴＢ２）を決定するステップと、
−  それぞれ、第１および第２の順方向高速フーリエ変換（ＦＦＴＢ１、ＦＦＴＢ２）に応じて、第１および第２の出口復調シンボルストリーム（ｎ０、．．．、ｎＭ−１、ｏ０、．．．、ｏＰ−１）を決定するステップと
を含む、方法。
【発明の詳細な説明】
【技術分野】
【０００１】
本開示は、ＯＦＤＭ変調器、ＯＦＤＭ復調器、ＯＦＤＭ変調器を動作させる方法、およびＯＦＤＭ復調器を動作させる方法を対象とする。
【背景技術】
【０００２】
５Ｇのような進化的無線通信規格は、混合ヌメロロジー（ｍｉｘｅｄ  ｎｕｍｅｒｏｌｏｇｉｅｓ）、すなわち、混合キャリア（ｍｉｘｅｄ  ｃａｒｒｉｅｒ）構成の、効率的なマルチセル／マルチＴＰ（送信ポイント）サポートを可能にする。５Ｇ全般、特に３ＧＰＰ  Ｎｅｗ  Ｒａｄｉｏは、１つのキャリア内でのマルチサービスサポートを目標としている。異なるサービスユースケースは、互いにまったく異なるので、それらは、各々異なるマルチキャリア波形パラメータの動機づけとなる。
【先行技術文献】
【非特許文献】
【０００３】
【非特許文献１】３ＧＰＰ  ＴＳ３６．２１１  Ｖ１４．００、２０１６年９月
【発明の概要】
【課題を解決するための手段】
【０００４】
本開示の目的は、セルラー無線通信ネットワークの無線デバイスにおいて動作するためのＯＦＤＭ変調器であって、ＯＦＤＭ変調器が、プロセッサおよびメモリを備え、プロセッサおよびメモリが、第１および第２の入口（ｉｎｇｒｅｓｓ）変調シンボルストリームを受信し、それぞれ、第１および第２の入口変調シンボルストリームに応じて、同じブロック長の第１および第２の逆高速フーリエ変換（ｉｎｖｅｒｓｅ  Ｆａｓｔ  Ｆｏｕｒｉｅｒ  Ｔｒａｎｓｆｏｒｍ）を決定し、それぞれ、第１および第２の逆高速フーリエ変換に応じて、サブキャリア周波数に対する異なる周波数オフセットの第１および第２の周波数シフトされたサンプルを決定し、それぞれ、第１および第２の周波数シフトされたサンプルに応じて、第１および第２の出口（ｅｇｒｅｓｓ）サンプルストリームを決定し、第１および第２の出口サンプルストリームに応じて、結合されたサンプルストリームを決定して、結合されたサンプルストリームを、それぞれのサブキャリア周波数よりも高いキャリア周波数にアップコンバートするように構成された、ＯＦＤＭ変調器を提案することである。
【０００５】
異なる周波数オフセットにより、同じブロック長、ただし異なる周波数オフセットを使用することによって、送信キャパシティの増大が達成され得る。その上、異なるブロック長という意味での異なるヌメロロジーの共存が、依然として可能である。
【０００６】
有利な実施形態によれば、１よりも大きい整数係数を乗算された、第１および第２の逆高速フーリエ変換の同じブロック長は、メインブロック長に等しい。これは、固定されたサブキャリアグリッド上で、異なるブロック長を用いた複数の変調／復調システムを組み合わせることを可能にする。その上、サブキャリアの直交性が維持されるので、（異なるヌメロロジーの）異なるシンボルストリームが干渉しないことが可能にされる。
【０００７】
有利な実施形態によれば、メインブロック長は２０４８に等しい。したがって、この方式は、４Ｇ／ＬＴＥから５Ｇへの移行をサポートする。
【０００８】
有利な実施形態によれば、プロセッサおよびメモリは、第１の逆高速フーリエ変換のための第１の周波数オフセットを決定し、第１の逆高速フーリエ変換が、サブキャリア範囲における第１のサブキャリアサブセットを占有し、第２の逆高速フーリエ変換のための第２の周波数オフセットを決定し、第２の逆高速フーリエ変換が、サブキャリア範囲における第２のサブキャリアサブセットを占有するように構成される。したがって、複数の逆高速フーリエ変換は、それぞれの周波数部分／サブキャリアのインターリービングによって、同じ周波数範囲を占有することができる。
【０００９】
有利な実施形態によれば、プロセッサおよびメモリは、第３の入口変調シンボルストリームを受信し、第３の入口変調シンボルストリームに応じて、さらなるブロック長の第３の逆高速フーリエ変換を決定し、第３の逆高速フーリエ変換に応じて、サブキャリア周波数に対する第３の周波数オフセットの第３の周波数シフトされたサンプルを決定し、第３の周波数シフトされたサンプルに応じて、第３の出口サンプルストリームを決定し、第１、第２および第３の出口サンプルストリームに応じて、結合されたサンプルストリームを決定して、結合されたサンプルストリームを、それぞれのサブキャリア周波数よりも高いキャリア周波数にアップコンバートするように構成される。有利には、混合ブロック（ｍｉｘｅｄ  ｂｌｏｃｋ）長を用いた逆高速フーリエ変換のシステムが提供される。
【００１０】
本明細書のさらなる目的は、セルラー無線通信ネットワークのデバイスにおいて動作するためのＯＦＤＭ復調器であって、ＯＦＤＭ復調器がプロセッサおよびメモリを備え、プロセッサおよびメモリが、ダウンコンバートされたサンプルストリームを受信し、それぞれ、同じブロック長の、およびサブキャリア周波数に対する異なる周波数オフセットの、ダウンコンバートされたサンプルストリームの第１および第２の入口サンプルストリームを決定し、それぞれ、第１および第２の入口サンプルストリームに応じて、同じブロック長の第１および第２の順方向高速フーリエ変換（ｆｏｒｗａｒｄ  Ｆａｓｔ  Ｆｏｕｒｉｅｒ  Ｔｒａｎｓｆｏｒｍ）を決定し、それぞれ、第１および第２の順方向高速フーリエ変換に応じて、第１および第２の出口復調シンボルストリームを決定するように構成された、ＯＦＤＭ復調器を提案することである。
【００１１】
有利な実施形態によれば、１よりも大きい整数係数を乗算された、第１および第２の順方向高速フーリエ変換の同じブロック長は、メインブロック長に等しい。暗に、この整数係数（Ｋ係数）は、２のべき乗に等しく、したがって、また、１よりも大きい。これは、固定されたサブキャリアグリッド上で、異なるブロック長を用いた複数の変調／復調システムを組み合わせることを可能にする。その上、サブキャリアの直交性が維持されるので、（異なるヌメロロジーの）異なるシンボルストリームが干渉しないことが可能にされる。
【００１２】
有利な実施形態によれば、メインブロック長は２０４８に等しい。したがって、この方式は、４Ｇ／ＬＴＥから５Ｇへの移行をサポートする。
【００１３】
有利な実施形態によれば、第１の入口サンプルストリームは、サブキャリア範囲における第１のサブキャリアサブセットを占有する第１の逆高速フーリエ変換を備え、第２の入口サンプルストリームは、サブキャリア範囲における第２のサブキャリアサブセットを占有する第２の逆高速フーリエ変換を備える。複数の逆高速フーリエ変換が、それぞれの周波数部分／サブキャリアのインターリービングによって、同じ周波数範囲を占有することが活用される。
【００１４】
有利な実施形態によれば、プロセッサおよびメモリは、さらなるブロック長の、および第３の周波数オフセットの、ダウンコンバートされた復調シンボルストリームの第３の入口サンプルストリームを決定し、第３の入口サンプルストリームに応じて、さらなるブロック長の第３の順方向高速フーリエ変換を決定し、第３の順方向高速フーリエ変換に応じて、第３の出口復調シンボルストリームを決定するようにさらに構成される。有利には、混合ブロック長を用いた高速フーリエ変換のシステムが提供される。
【００１５】
本明細書のさらなる目的は、ＯＦＤＭ変調器を動作させる方法を提案することである。
【００１６】
本明細書のさらなる目的は、ＯＦＤＭ復調器を動作させる方法を提案することである。
【図面の簡単な説明】
【００１７】
【図１ａ】ＯＤＦＭ変調器の概略ブロック図である。
【図１ｂ】ＯＦＤＭ復調器の概略ブロック図である。
【図１ｃ】概略シーケンス図である。
【図１ｄ】概略シーケンス図である。
【図２】概略的なセルラー無線通信ネットワークを示す図である。
【図３】ＯＤＦＭ変調器の概略ブロック図である。
【図４】ＯＦＤＭ復調器の概略ブロック図である。
【図５】ＯＦＤＭ復調器の概略ブロック図である。
【図６】周波数オフセット方式を概略的に示す図である。
【発明を実施するための形態】
【００１８】
図１ａは、第１の処理チェーン１２００と第２の処理チェーン１３００とをもつＯＦＤＭ変調器１０００の概略ブロック図を示す。第１の処理チェーン１２００の第１のブロック１２０２が、第１の入口変調シンボルストリームｂ０、．．．、ｂＭ−１を受信し、第１のブロック長Ｂの第１の逆高速フーリエ変換を決定する。第１の逆高速フーリエ変換は、第１の周波数オフセットΔｆ２だけ周波数シフトされ、第１の周波数シフトされたサンプルＳｂ２を生じる。第１の処理チェーン１２００の第２のブロック１２０４が、第１の周波数シフトされたサンプルＳｂ２を受信し、第１の出口サンプルストリームｅ０、．．．、ｅＢ−１を決定する。
【００１９】
第２の処理チェーン１３００の第１のブロック１３０２が、第２の入口変調シンボルストリームｃ０、．．．、ｃＰ−１を受信し、第１のブロック長Ｂの第２の逆高速フーリエ変換を決定する。第２の逆高速フーリエ変換は、第２の周波数オフセットΔｆ３だけ周波数シフトされ、第２の周波数シフトされたサンプルＳｂ３を生じる。第２の処理チェーン１３００の第２のブロック１３０４が、第２の周波数シフトされたサンプルＳｂ３を受信し、第２の出口サンプルストリームｆ０、．．．、ｆＢ−１を決定する。ブロック１９００が、第１および第２の出口サンプルストリームｅ０、．．．、ｅＢ−１、ｆ０、．．．、ｆＢ−１に応じて、結合されたサンプルストリームｇ０、．．．、ｇＢ−１を決定して、結合されたサンプルストリームｇ０、．．．、ｇＢ−１を、それぞれのサブキャリア周波数よりも高いキャリア周波数にアップコンバートする。
【００２０】
図１ｂは、ＯＦＤＭ復調器２０００の概略ブロック図を示す。ダウンコンバートされたサンプルストリームｈ０、．．．、ｈＢ−１、．．．が、それぞれの無線モジュールＲ１、Ｒ２のＡ／Ｄ変換器から受信される。第１の処理チェーン２２００のブロック２２０２が、ダウンコンバートされたサンプルストリームｈ０、．．．、ｈＢ−１、．．．に応じて、およびサブキャリア周波数に対する第１の周波数オフセットΔｆ２に応じて、第１のブロック長Ｂの第１の入口サンプルストリームｋ０、．．．、ｋＢ−１を決定し、第１の入口サンプルストリームｋ０、．．．、ｋＢ−１は、第１の周波数オフセットΔｆ２だけ周波数においてバックシフトされる。ブロック２２０４が、第１の入口サンプルストリームｋ０、．．．、ｋＢ−１に応じて、第１のブロック長Ｂの第１の順方向高速フーリエ変換ＦＦＴＢ１を決定する。ブロック２２０６が、第１の順方向高速フーリエ変換ＦＦＴＢ１に応じて、第１の出口復調シンボルストリームｎ０、．．．、ｎＭ−１を決定する。
【００２１】
第２の処理チェーン２３００のブロック２３０２が、第１のブロック長Ｂのダウンコンバートされたサンプルストリームｈ０、．．．、ｈＢ−１、．．．に応じて、およびサブキャリア周波数に対する第２の周波数オフセットΔｆ３に応じて、第２の入口サンプルストリームｌ０、．．．、ｌＢ−１を決定し、第２の入口サンプルストリームｌ０、．．．、ｌＢ−１は、第２の周波数オフセットΔｆ３だけ周波数がバックシフトされる。ブロック２３０４が、第２の入口サンプルストリームｌ０、．．．、ｌＢ−１に応じて、第１のブロック長Ｂの第２の順方向高速フーリエ変換ＦＦＴＢ２を決定する。ブロック２３０６が、第２の順方向高速フーリエ変換ＦＦＴＢ２に応じて、第２の出口復調シンボルストリームｏ０、．．．、ｏＰ−１を決定する。
【００２２】
図１ｃは、ステップ１８０２、１８０４、１８０５、１８０６および１８０８を含む、ＯＤＦＭ変調器１０００を動作させるための概略シーケンス図１８００を示す。
【００２３】
図１ｄは、ステップ２８０２、２８０４、２８０６および２８０８を含む、ＯＦＤＭ復調器２０００を動作させるための概略シーケンス図２８００を示す。
【００２４】
図２は、概略的なセルラー無線通信ネットワークＲＣＮを示す。セルラー無線通信ネットワークＲＣＮは、セルラーネットワークであり、第１の無線デバイスＢＳが、無線セルＣを確立する。第１の無線デバイスＢＳは、基地局、ＬＴＥ  ｅノードＢ、５Ｇ送信ポイント、ＷｉＦｉアクセスポイント、リモートラジオヘッド、ＲＲＨなどである。第１の無線デバイスＢＳは、特に、無線セルＣをサーブすることと、無線セルＣ内の無線デバイスＵＥ、ＵＥ＿ｌｅｇという意味でのユーザ機器をセルラー無線通信ネットワークＲＣＮに接続することとに好適である。第１の無線デバイスＢＳは、たとえば、スタンドアロン機器として実装される。第２の無線デバイスＵＥおよび第３の無線デバイスＵＥ＿ｌｅｇは、無線セルＣ内に存在し、ユーザ機器またはマシン機器と呼ばれることがある。
【００２５】
第３の無線デバイスＵＥ＿ｌｅｇは、ＬＴＥレガシーデバイスであり、引用により本明細書に組み込まれている、３ＧＰＰ  ＴＳ３６．２１１  Ｖ１４．００、２０１６年９月を満たす。第１の無線デバイスＢＳおよび第２の無線デバイスＵＥは、それぞれ、ＯＦＤＭ変調器１０００および／またはＯＦＤＭ復調器２０００を備える。本明細書の実施形態の多くは、第１の無線デバイスＢＳおよび第２の無線デバイスＵＥとともに、セルＣ内で第３の無線デバイスＵＥ＿ｌｅｇを動作させることを可能にする。
【００２６】
第１の無線デバイスＢＳは、メモリＭ１と、プロセッサＰ１と、無線モジュールＲ１と、アンテナＡ１とを備える。第２の無線デバイスＵＥは、メモリＭ２と、プロセッサＰ２と、無線モジュールＲ２と、アンテナＡ２とを備える。第３の無線デバイスＵＥ＿ｌｅｇは、メモリかつ３と、プロセッサＰ３と、無線モジュールである３と、アンテナＡ１とを備える。プロセッサＰ１、Ｐ２、Ｐ３は、たとえば、ＤＳＰ、ＦＰＧＡなど、またはそれらの組合せを使用して実装される。メモリＭ１、Ｍ２、Ｍ３は、たとえば、ＲＡＭ、ＲＯＭ、ＤＤＲ、フラッシュメモリなど、またはそれらの組合せを使用して実装される。メモリＭ１、Ｍ２、Ｍ３は、たとえば、コンピュータ可読命令、したがって、プロセッサＰ１、Ｐ２、Ｐ３によって実行可能な命令を記憶する。プロセッサＰ１は、第１の無線デバイスＵＥおよび第２の無線デバイスＵＥ＿ｌｅｇに送信されるべきデータを処理する。その処理は、無線通信ネットワークＲＣＮによって設定された要件を満たすのに必要なステップを含む。
【００２７】
第１の無線デバイスＢＳの送信機および／または受信機を含む、上記で説明されたセルラー無線通信ネットワークＲＣＮの少なくとも一部が、ネットワーク機能仮想化（ＮＦＶ：ｎｅｔｗｏｒｋ  ｆｕｎｃｔｉｏｎｓ  ｖｉｒｔｕａｌｉｚａｔｉｏｎ）を使用して実装され得る。ＮＦＶは、コンピュータ仮想化の技術を利用するネットワークアーキテクチャである。送信機または受信機のようなネットワーク機器全体、あるいはそれらの一部またはそれらの機能の一部が、通信サービスを作成するために接続または相互作用し得るソフトウェアビルディングブロックを使用して、仮想化され得る。たとえば、送信機または受信機の仮想化されたネットワーク機能は、各ネットワーク機能のためのカスタマイズされたハードウェア機器を有する代わりに、標準的な大容量サーバ、スイッチおよびストレージ、またはクラウドコンピューティングインフラストラクチャの上に、異なるソフトウェアおよびプロセスを実行する少なくとも１つの仮想マシンを含み得る。したがって、送信機または受信機の機能は、動作を実施するための、非一時的コンピュータ可読媒体上で実施されるコンピュータプログラム製品を使用して、コンピュータプログラムで具体化され得、コンピュータプログラム製品は、プロセッサによって実行されたとき、特定の基地局、ｅノードＢ、ネットワークノード、ＭＭＥ（モビリティ管理エンティティ）、および／またはＵＥの機能の動作を実施する命令を含む。
【００２８】
本明細書で説明される方法は、デジタル信号処理に関し、したがって、デジタル信号プロセッサのようなプロセッサなどを使用して実装され得る。機能のうちの少なくともいくつかが、ベースバンド処理に関し、したがって、トランシーバ、たとえば、ベースバンドトランシーバを使用して実装され得る。無線モジュールは、たとえば、無線モジュール、または遠隔に位置するいわゆるＲＲＨ（リモートラジオヘッド）である。ＲＲＨを用いたコンスタレーションが、しばしば、いわゆるＮＦＶ（ネットワーク機能仮想化）実装形態に関して使用され、処理の実質的な部分が、複数のプロセッサおよび複数のメモリをもつサーバファームに集中され、無線固有のアップコンバージョン、アンテナ、ならびにユーザ機器へのダウンリンクにおけるデータ送信のためのデジタルアナログ変換器、およびアップリンクにおいてユーザ機器からデータを受信するためのアナログデジタル変換器が、遠隔に位置する。無線モジュールは、無線フロントエンドとも呼ばれ、たとえば、デジタルアナログ変換器、ローパスフィルタ、混合器、局部発振器、電力増幅器、およびアンテナを含む。局部発振器は、処理されたデータ上に混合される無線周波数を生成する。上述のモジュール／機能は、連続して配置され得る。いくつかのモジュールは、使用される技術に応じて、使用されないか、または他のものと交換されることがある。ＭＩＭＯまたは大規模ＭＩＭＯの場合、いくつかのモジュールが複製される必要があり、たとえば、１つのアンテナおよび対応する増幅器などの代わりに、複数のアンテナが使用される。追加のモジュールが、たとえば、ビームフォーミング、ＣｏＭＰ（多地点協調）、ｅＩＣＩＣ（拡張セル間干渉制御）などのような、特定の機能を実施および／またはサポートするために追加され得る。ユーザ機器（ＵＥ）は、無線モジュールをもつデバイス、たとえば、スマートフォン、タブレット、スマートウォッチ、センサー、アクチュエータ、車両内の機器、マシンツーマシン機器などとして実装され得る。無線通信ネットワークＲＣＮは、ＯＦＤＭ（直交周波数分割多重）タイプネットワーク、たとえば、ＵＦ−ＯＦＤＭ、Ｆ−ＯＦＤＭ、ＺＴ−ｓ−ＯＦＤＭ、Ｐ−ＯＦＤＭ、ＦＣ−ＯＦＤＭ、または別のマルチキャリアネットワーク、たとえば、ＦＳ−ＦＢＭＣ、ＱＡＭ−ＦＢＭＣなどである。たとえば、ＱＡＭ、すなわち直交振幅変調、および／またはＱＰＳＫ、すなわち４位相シフトキーイングが、変調技法として使用される。無線ネットワークＲＣＮは、スケジューラと、時間−周波数−リソースグリッド、ｔ−ｆ−リソースとを使用して、リソースを割り振る。ｔ−ｆ−リソースは、タイムスロットおよび関連するサブキャリアを含む。サブキャリアは、たとえば、周波数サブバンドにおいてグループ化される。サブバンドは、少なくとも１つのサブバンドパラメータを割り当てられる。サブバンドパラメータは、たとえば、サブキャリア間隔であり、他のパラメータは、たとえば、シンボル持続時間、時間オーバーヘッド、ゼロポストフィックスまたはサイクリックプレフィックスのような時間オーバーヘッドタイプ、ウィンドウ処理またはフィルタ処理パラメータである。割り当てられたまたは選択されたパラメータに応じて、サブバンドは、特定の送信タイプのために特徴づけられ、特に、特定のサービスの送信に好適である。サービスは、たとえば、ｅＭＢＢ（拡張モバイルブロードバンド：ｅｎｈａｎｃｅｄ  ｍｏｂｉｌｅ  ｂｒｏａｄｂａｎｄ）、ｍＭＴＣ（大規模マシンタイプ通信：ｍａｓｓｉｖｅ  ｍａｃｈｉｎｅ−ｔｙｐｅ−ｃｏｍｍｕｎｉｃａｔｉｏｎ）、ＵＲＬＬＣ（超高信頼低遅延通信：ｕｌｔｒａ  ｒｅｌｉａｂｌｅ  ｌｏｗ  ｌａｔｅｎｃｙ  ｃｏｍｍｕｎｉｃａｔｉｏｎ）、車両間通信、ボイス、ビデオなどである。したがって、割り振られた物理リソースブロックは、１つまたは複数のサブキャリアまたはサブバンドに関連する専用タイムスロットを、データパケットに割り当てる。物理リソースブロックは、１つのタイムスロットをサブキャリアに割り当てる。タイムスロットは、たとえば、ＴＴＩ（送信時間間隔）と呼ばれる。時間期間は、たとえば、１つまたは複数のタイムスロットであり得る。データおよび制御信号は、物理チャネル、たとえば、物理ダウンリンク共有チャネル、物理ダウンリンク制御チャネル、共通制御物理チャネルを使用して送信される。さらなるデータおよび制御信号は、ブロードキャストチャネル、ページングチャネル、マルチキャストチャネルを使用して送信され得る。
【００２９】
図３は、複数の処理チェーン１１００、１２００、１３００をもつＯＤＦＭ変調器１０００の概略ブロック図を示す。もちろん、さらなる処理チェーンが可能である。第３の処理チェーン１１００は、以下で詳細に説明され、さらなる処理チェーンは、処理チェーン１１００と同様であるが、少なくとも、使用されるそれぞれのブロック長および周波数オフセットが異なり得る。ブロック１１０６が、第３の入口データストリーム１１０８に応じて、第３の入口変調シンボルストリームａ０、．．．、ａＮ−１を決定する。ブロック１１０６は、ＱＡＭ変調器（直交振幅変調）および／またはＱＰＳＫ変調器（４位相シフトキーイング）、チャネルプリコーダ、ならびに／あるいはさらなる処理エンティティのためのものを備え得る。直並列変換器１１１０が、第３の入口変調シンボルストリームａ０、．．．、ａＮ−１を、並列シンボルストリームから直列シンボルストリームに変換する。並列化された第３の入口変調シンボルストリームａ０、．．．、ａＮ−１は、サブキャリアマッパ１１１２に適用される。マッパ１１１４が、基準シンボルおよび／または同期シンボルを、変調シンボルストリームにマッピングする。マッパ１１１４によって決定された変調シンボルストリームは、第３の逆高速フーリエ変換ＩＦＦＴＡを決定するために、逆高速フーリエ変換ブロック１１１８に適用される。周波数シフタ１１１６が、第３の周波数シフトされたサンプルＳａを決定するために、適用された第３の逆高速フーリエ変換ＩＦＦＴＡを、適用された第３の周波数オフセットΔｆ１だけシフトする。第３の周波数シフトされたサンプルＳａは、並直列変換器１１２０によって直列化され、第３の出口サンプルストリームｄ０、．．．、ｄＡ−１を決定するために、サイクリックプレフィックス（ＣＰ）挿入器１１２２に適用される。サイクリックプレフィックス挿入器１１２２は省略されることもある。
【００３０】
処理チェーン１２００、１３００は、以下において、上記で説明された処理チェーン１１００とは異なる：入口データストリーム１２０８と１３０８と１１０８とは、それらのコンテンツに関して互いに異なる。Ｋ係数とも呼ばれる、それぞれの整数係数Ｋを乗算された、第１および第２の逆高速フーリエ変換ＩＦＦＴＢ１、ＩＦＦＴＢ２の第１のブロック長Ｂは、第３の順方向高速フーリエ変換ＩＦＦＴＡのメインブロック長Ａに等しい。直並列変換器１１１０、１２１０、および１３１０のブロック長Ｎ、Ｍ、およびＰは、対応する逆高速フーリエ変換ブロック１１１８、１２１８、１３１８のそれぞれのブロック長Ａ、Ｂに等しいかまたはそれよりも小さい。
【００３１】
メインブロック長Ａという意味でのフーリエ変換の最も大きいブロック長を所与とすれば、各処理チェーンは、ブロック長ｂｌおよび対応するＫ係数Ｋを用いた以下の式（１）を満たさなければならない。
ｂｌ＊Ｋ＝Ａ    （１）
【００３２】
２０４８のメインブロック長Ａを用いたセルラー無線通信ネットワークＲＣＮの場合、レガシーＬＴＥデバイスも参加できる。この場合、他の処理チェーンのすべてについて固定されたサブキャリア間隔グリッドを提供するサブキャリア間隔ｆ０は、１５ｋＨｚである。もちろん、メインブロック長Ａは、別様に選定されるが、レガシーＬＴＥデバイスとの互換性を失い得る。各Ｋ係数システムのためのサンプル時間Ｔｓが、式（２）に従って決定され得る。
Ｔｓ（Ｋ）＝１／（ｂｌ（Ｋ）＊ｆ０）    （２）
【００３３】
低エネルギー消費および短いシンボルレートに対する要望がある適用例の場合、第２の無線デバイスＵＥは、単に、高いＫ係数、特に１よりも大きいＫ係数Ｋを用いた処理チェーンを備え得る。
【００３４】
以下の式（３）から（６）は、本明細書で提案される変調および復調方式が、依然として、サブキャリアが直交することをもたらすことを示す。式（３）は、パラメータｋを用いた、ブロック長Ｒの順方向高速フーリエ変換ＦＦＴ＿Ｒを与える。式（４）では、右辺の項は、各々高速フーリエ変換を表す、２つの成分Ｘ＿ＩとＸ＿ＩＩとに分離される。式（５）は、式（４）のパラメータｋからパラメータ２＊ｕへのパラメータ変換を含む。式（６）は、書き直された形式での式（５）を表す。式（５）および（６）は、式（３）および（４）におけるブロック長Ｒの高速フーリエ変換と比較して、Ｒ／２のブロック長を用いた２つのフーリエ変換ＸI（ｕ）およびＸＩＩ（ｕ）を与える。したがって、式（１）において説明されたＫ係数方式に準拠するＦＦＴブロック長が使用される間、サブキャリア直交性は維持される。
【００３５】
【数１】
2020502921.tif 000003
【００３６】
【数２】
2020502921.tif 000004
【００３７】
【数３】
2020502921.tif 000005
【００３８】
【数４】
2020502921.tif 000006
【００３９】
以下の表１は、ＯＦＤＭ変調器１０００およびＯＦＤＭ復調器２０００の処理チェーンのための可能な構成を示す。
【００４０】
【表１】
2020502921.tif 000007
2020502921.tif 000008
2020502921.tif 000009
2020502921.tif 000010
【００４１】
表２では、Ｋ係数に応じた、ｋＨｚ単位での存続するサブキャリア距離が示されている。サブキャリア距離は、対応するＫ係数を用いたシステムについて、サブキャリア距離の倍数が周波数範囲において存続することを意味する。したがって、Ｋ係数が増加するとサブキャリア距離も増加し、対応する周波数空間が、本明細書で説明される方法に従って使用され得る。したがって、すべてのサブキャリアが使用される場合、より短いシンボル時間が、キャパシティの増大をもたらす。
【００４２】
【表２】
2020502921.tif 000011
【００４３】
第１の周波数オフセットΔｆ２と第２の周波数オフセットΔｆ３との差の絶対値は、両端値を含む、１つのサブキャリアからＫ−１個のサブキャリアの間の範囲内にある。
【００４４】
加算器１９０２が、第１、第２および第３の出口サンプルストリームｅ０、．．．、ｅＢ−１、ｆ０、．．．、ｆＢ−１、ｄ０、．．．、ｄＡ−１を加算して、和、すなわち、結合されたサンプルストリームｇ０、．．．、ｇＡ−１にする。結合されたサンプルストリームｇ０、．．．、ｇＡ−１は、それぞれの無線モジュールＲ１、Ｒ２のデジタルアナログ変換器に適用され、その後、それぞれのサブキャリア周波数よりも高いキャリア周波数にアップコンバートされる。
【００４５】
入口および出口という表現は、それぞれの入口ストリームが、処理チェーンの入力側に向かって位置し、出口ストリームが、処理チェーンの出力側に向かって位置するという意味を有する。したがって、入口ストリームは、処理チェーンの開始における実際の入力ストリームとは異なり得る。同じことが出口ストリームに当てはまる。
【００４６】
図３および図４中の、直並列変換器および並直列変換器は、例示的な位置に配置されている。もちろん、これらの変換器は、それぞれの処理チェーンを最適化するために、他の位置に配置され得る。
【００４７】
図４は、複数の処理チェーン２１００、２２００、２３００をもつＯＦＤＭ復調器２０００の概略ブロック図を示す。もちろん、さらなる処理チェーンが可能である。処理チェーン２１００は、以下で詳細に説明され、さらなる処理チェーンは、処理チェーン２１００と同様である。サイクリックプレフィックス除去器２１０８が、サイクリックプレフィックスＣＰを除去する。サイクリックプレフィックス除去器２１０８は省略されることもある。周波数シフタ２１１０が、供給された第３の周波数オフセットΔｆ１に応じて、サイクリックプレフィックスを含まないダウンコンバートされたサンプルストリームｈ０、．．．、ｈＡ−１、．．．をバックシフトする。周波数シフタ２１１０は、第３の入口サンプルストリームｉ０、．．．、ｉＡ−１を決定し、第３の入口サンプルストリームｉ０、．．．、ｉＡ−１は、直並列変換器２１１２によって並列化される。順方向高速フーリエ変換ブロック２１１４が、並列化された入口サンプルストリームｉ０、．．．、ｉＡ−１に応じて、さらなるブロックサイズＡの第３の順方向高速フーリエ変換ＦＦＴＡを決定する。デマッパ２１１６が、サブキャリアをデマッピングする。ブロック長Ｎの並直列変換器２１１８が、第３の順方向高速フーリエ変換ＦＦＴＡに応じて、第３の出口復調シンボルストリームｍ０、．．．、ｍＮ−１を決定する。チャネル推定器２１２０が、第３の出口復調シンボルストリームｍ０、．．．、ｍＮ−１中に含まれている基準シンボルに応じて、チャネル推定値２１２２を決定する。等化器２１２４が、第３の出口復調シンボルストリームｍ０、．．．、ｍＮ−１に応じて、およびチャネル推定値２１２２に応じて、等化された出口変調シンボルストリーム２１２６を決定する。矢印で示されているように、チャネル推定値２１２２と２２２２とは交換され得、たとえば、推定器２１２０は、チャネル推定値２２２２を受信する。ブロック２１２８が、等化された出口復調シンボルストリーム２１２６に応じて、出口データストリーム２１３０を決定する。チャネル推定器２１２０および等化器２１２４は、例示的なものにすぎず、それぞれの入力および出力シンボルストリームに関して他のタップを備え得る。ブロック２１２８は、ＱＡＭ復調器（直交振幅変調）および／またはＱＰＳＫ復調器（４位相シフトキーイング）、チャネルデコーダ、ならびに／あるいはさらなる処理エンティティを備える。出口データストリーム２１３０は、図３中の入口データストリーム１１０８に等しい。相関器２１３２が、第３の出口復調シンボルストリームｍ０、．．．、ｍＮ−１中の同期シンボルを検出し、同期状態２１３４を決定する。
【００４８】
処理チェーン２２００、２３００は、以下において、上記で説明された処理チェーン２１００とは異なる：出口データストリーム２１３０と２２３０と２３３０とは、それらのコンテンツに関して互いに異なる。Ｋ係数を乗算された、第１および第２の順方向高速フーリエ変換ＦＦＴＢ１、ＦＦＴＢ２のブロック長Ｂは、メインブロック長Ａに等しい。
【００４９】
図５は、ＯＤＦＭ復調器２０００の概略ブロック図を示す。ブロック２１１０によれば、周波数バックシフトは、ダウンコンバートされたサンプルストリームｈ０、．．．、ｈＡ−１、．．．に適用されず、第３の順方向高速フーリエ変換ＦＦＴＡは、ブロック２１１４において決定される。さらなる処理チェーン２４００、２５００が、それぞれ、１２８および６４のブロック長を用いて、ならびにそれぞれの周波数オフセットを用いて動作する。
【００５０】
処理チェーングループ２６００は、処理チェーン２２００、２３００、およびさらなる処理チェーンを含む。グループ２６００の処理チェーンは、この例では１２８の値をもつ同じブロック長Ｂと、周波数オフセット方式とを使用することによって特徴づけられる。周波数オフセット方式に従って、処理チェーングループ２６００の処理チェーンのための周波数オフセットは、処理チェーンのうちの単一の処理チェーンの未使用サブキャリアサブスペースを使用するために、サブキャリアベースで決定される。
【００５１】
図６は、ブロック長１２８のためのサブキャリアベースの周波数オフセット方式を概略的に示す。ブロック長１２８が、１６のＫ係数に対応するので、ＯＦＤＭ変調器１０００において１６のＫ係数を用いて単一の処理チェーンを動作させることは、周波数範囲ＦＲにおいて、使用されるサブキャリアｍｏｄ（ｊ，１６）＝０を生じることになり、ここでｊはサブキャリアインデックスである。同じ周波数範囲ＦＲにおいて、残りのサブキャリアは、ＯＦＤＭ変調器１０００およびＯＤＦＭ復調器２０００における少なくとも１つのさらなる処理チェーンによって使用される。
【００５２】
ＯＦＤＭ変調器１０００は、第１の逆高速フーリエ変換ＩＦＦＴＢ１のための第１の周波数オフセットΔｆ２を決定し、第１の逆高速フーリエ変換ＩＦＦＴＢ１は、サブキャリア範囲ＳＲにおける第１のサブキャリアサブセットｓｃ０Ａ、ｓｃ０Ｂ、ｓｃ０Ｃを占有する。第２の逆高速フーリエ変換ＩＦＦＴＢ２のための第２の周波数オフセットΔｆ３は、第２の逆高速フーリエ変換ＩＦＦＴＢ２が、サブキャリア範囲ＳＲにおける第２のサブキャリアサブセットｓｃ３Ａ、ｓｃ３Ｂ、ｓｃ３Ｃを占有するように決定される。図６の示されている例における第１および第２の周波数オフセットΔｆ２、Δｆ３は、３つのサブキャリアごとに異なる。さらなるサブキャリアサブセットが、周波数範囲内に示され、サブセットのくし状インターリービングを例示する。その上、周波数オフセット方式のすべてのサブセットは、周波数範囲ＦＲにおいて、互いに異なるサブキャリアを使用する。一実施形態では、１つまたは複数の未使用サブキャリアという意味でのガードバンドが、周波数範囲ＦＲにおいてサブキャリアの間に配置される。
【００５３】
説明および図面は本発明の原理を示しているにすぎない。したがって、当業者は、本明細書では明示的に説明または図示されていないが、本発明の原理を具現化し、本発明の趣旨および範囲内に含まれる、様々な構成を考案することができることが諒解されよう。さらに、本明細書で具陳されたすべての例は、主に、当技術分野を助成するために（１人または複数の）発明者によって貢献された本発明の原理および概念を読者が理解するのを助けるという教育上の目的のみを明確に意図しており、そのような特に具陳された例および条件に限定されないものと解釈されるべきである。その上、本発明の原理、態様、および実施形態、ならびにそれらの特定の例を具陳した本明細書のすべての記述は、それらの均等物を包含するものとする。
【００５４】
「プロセッサ」として標示された機能ブロックを含む、図に示された様々な要素の機能は、専用ハードウェア、ならびに適切なソフトウェアに関連してソフトウェアを実行することが可能なハードウェアの使用によって提供され得る。プロセッサによって提供されるとき、機能は、単一の専用プロセッサによって、単一の共有プロセッサによって、またはそのうちの一部が共有され得る複数の個別プロセッサによって提供され得る。その上、「プロセッサ」または「コントローラ」という用語の明示的な使用は、ソフトウェアを実行することが可能なハードウェアを排他的に指すと解釈されるべきではなく、限定はしないが、デジタル信号プロセッサ（ＤＳＰ）ハードウェア、ネットワークプロセッサ、特定用途向け集積回路（ＡＳＩＣ）、フィールドプログラマブルゲートアレイ（ＦＰＧＡ）、ソフトウェアを記憶するための読取り専用メモリ（ＲＯＭ）、ランダムアクセスメモリ（ＲＡＭ）、および不揮発性記憶装置を暗黙的に含み得る。従来の、および／またはカスタムの、他のハードウェアも含まれ得る。同様に、図に示されたいかなるスイッチも概念的なものにすぎない。それらの機能は、プログラム論理の動作によって、専用論理によって、プログラム制御と専用論理との相互作用によって、さらには手動で実行され得、特定の技法は、コンテキストからより明確に理解されるように、実装者によって選択可能である。
【００５５】
本明細書のいかなるブロック図も、本発明の原理を具現化する例示的な回路の概念図を表すことを、当業者は諒解されたい。同様に、いかなるフローチャート、流れ図、状態遷移図、擬似コードなども、コンピュータ可読媒体において実質的に表され、したがって、コンピュータまたはプロセッサが明示的に示されているか否かにかかわらず、そのようなコンピュータまたはプロセッサによって実行され得る、様々なプロセスを表すことが諒解されよう。
【図１ａ】
2020502921.tif 000012
【図１ｂ】
2020502921.tif 000013
【図１ｃ】
2020502921.tif 000014
【図１ｄ】
2020502921.tif 000015
【図２】
2020502921.tif 000016
【図３】
2020502921.tif 000017
【図４】
2020502921.tif 000018
【図５】
2020502921.tif 000019
【図６】
2020502921.tif 000020
【国際調査報告】
2020502921.tif 000021
2020502921.tif 000022